(57)【要約】【課題】  製品のこぼれを最小限にもしくは排除しつつストローの容易な挿入を可能にする。【解決手段】  可撓性パウチが、それらの側縁に沿ってシールで嵌合される第一および第二シートから形成される。２個のガセットがシートのそれぞれ上部および底部に提供される。最上部のガセットの底部は、ポケットがパウチの一端部に形成されるように凹ませられる。区画が２個のシートおよび２個のガセットによりパウチ内で形成される。ストローもしくは他の適する装置が、パウチの区画から内容物を取り出すために最上部のガセットに穴をあけるのに使用され得る。【選択図】  図１
2005047624.tif 000002
【特許請求の範囲】
【請求項１】
第一縁および第二縁を有する第一シート；
第一縁および第二縁を有する第二シート（第一および第二シートの第一縁が一緒にシールされ、かつ、第一および第二シートの第二縁が一緒にシールされ）；
そのシールされた第一と第二の縁の間で第一および第二シートにより部分的に形成されている区画；ならびに、 第一と第二のシートの縁の間を広がる脆い要素（当該脆い要素は区画の一部分、および、脆い要素中で容易に形成可能である区画への開口部を規定する）、を含んで成る可撓性パウチ。
【発明の詳細な説明】
【技術分野】
【０００１】
本発明は開放容易な可撓性パウチに関する。本パウチは広口のポケットを有し、その中にストローがパウチ内容物の放出のために脆い膜を刺し通す（ｐｉｅｒｃｅ）よう挿入される。
【背景技術】
【０００２】
多様な可撓性パウチが従来技術で既知である。これらの可撓性パウチは開けることがしばしば困難である。とりわけ、それらは、ストローで貫通させるのに非常に硬い。ストローで包装に穴をあけることを試みる場合にしばしば製品がこぼれることができる。また、ストローはパウチの前および後壁双方に穴をあけ得、不満足な配置（ａｒｒａｎｇｅｍｅｎｔ）をもたらす。従って、製品のこぼれを最小限にしつつ容易に開けられ得るパウチに対する当該技術における要求が存在する。
【発明の開示】
【発明が解決しようとする課題】
【０００３】
従って、容易に開けられ得かつ製品のこぼれが最小限にされるかもしくは排除される可撓性パウチを提供することが、本発明の一主目的である。
【０００４】
付加的には、ストローで開けられ得かつ包装の前および後双方の偶然の刺し通し（ｐｉｅｒｃｉｎｇ）を回避するとみられる可撓性パウチを提供することが、本発明のさらなる一目的である。
【０００５】
パウチへのストロー挿入を補助し得るパウチの広口ポケットを提供することが、本発明のさらなる一目的である。
【課題を解決するための手段】
【０００６】
本発明のこれらおよび他の目的は、第一縁および第二縁を有する第一シート；
第一縁および第二縁を有する第二シート（第一および第二シートの第一縁が一緒にシールされ、かつ、第一および第二シートの第二縁が一緒にシールされ）；そのシールされた第一と第二の縁の間で第一および第二シートにより部分的に形成されている区画；ならびに、第一および第二シートの縁の間を広がる脆い要素（当該脆い要素は、区画の一部分、および脆い要素中に容易に形成可能である区画への開口部を規定する）を含んで成る可撓性パウチを提供することにより遂げられる。
【０００７】
加えて、本発明のこれらおよび他の目的は、ある直径を有する飲用ストロー；
および可撓性パウチを含んで成る可撓性飲料パウチおよび飲用ストローの組み合わせによってもまた遂げられ、当該可撓性パウチは、第一縁および第二縁を有する第一シート；第二シートが第一シートに据え付けられる場合に第一シートのそれぞれ第一および第二縁と一致する第一縁および第二縁を有する第二シート（第一および第二シートの第一縁が一緒にシールされ、かつ、第一および第二シートの第二縁が一緒にシールされ）；そのシールされた第一と第二の縁の間に第一と第二のシートの間で形成されている区画；ならびに、第一および第二シートの縁の間に提供される脆い要素（当該脆い要素は、区画の一部分、およびストローにより脆い要素に容易に形成可能である区画への開口部を形成し、第一と第二のシートの端部の間の方向の脆い要素の長さはストローの直径よりかなり大きい）を包含する。
【０００８】
付加的には、本発明のこれらおよび他の目的は、可撓性パウチからの内容物の分配方法により遂げられ、当該方法は、可撓性パウチ内に一区画を提供すること（当該区画は当初シールされ）；当該区画の少なくとも一部分を形成するための２個のシートおよび１個のガセットを提供すること（当該２個のシートは区画の第一側および第二側に沿ったシールされた縁を有し、また、当該ガセットは区画の第一端部にあり）；第一シートの一部分を区画の第一端部に隣接する第二シートの一部分から分離してそれによりガセットを露出させること；第一および第二シートを分離する段階の間に当該区画をシールされた状態に維持すること；分離および維持の段階の後でガセットを刺し通してそれによりガセット中に開口部を形成すること；そして、内容物をガセット中の開口部を通して当該区画から取り出すこと、の段階を含んで成る。
【０００９】
さらに、本発明のこれらおよび他の目的は、膜およびシールされた区画を含んで成る可撓性パウチを提供することにより遂げられ、当該区画は膜により少なくとも部分的に形成され、当該膜は２個の壁を有し、膜の２個の壁はそれらの間の折り目で合い、膜の２個の壁はＶ字型を形成し、また、膜の壁は１個のポケットを規定するように相互に向かってかつ相互から離れて可動性であり、折り目の各側の膜の壁の縁はシールされた嵌合にあってそれによりポケットの側を形成し、膜は区画への開口部を提供するように少なくとも折り目で容易に砕けやすく、折り目は膜の最外縁に伸長する。
【発明を実施するための最良の形態】
【００１０】
本発明の応用可能性のさらなる範囲は下に与えられる詳細な記述から明らかになることができる。しかしながら、詳細な記述および特定の例は、本発明の好ましい態様を示す一方、具体的な説明のみとして与えられることが理解されるべきである。なぜなら、本発明の技術思想および範囲内での多様な変更および改変がこの詳細な記述から当業者に明らかとなることができるからである。
【００１１】
本発明は、下に与えられる詳細な記述および付随する図面からより完全に理解されたようになることができ、これらは具体的な説明のみとして与えられ、そして従って本発明を制限しない。
【００１２】
図面を詳細に参照すれば、そしてとりわけ図１に関して、可撓性パウチ１０が示される。本可撓性パウチは、プラスチック素材で被覆されたアルミニウムシートのような熱シール性、熱溶着性もしくは超音波でシールする可撓性貼合せシート、またはいずれかの他の適する素材から作成され得る。パウチ１０は、飲料のような液体、流体、糊状媒体、微細な粒状物質もしくはいずれかの他の適する物体で充填され得る。当該可撓性パウチは主として飲料容器として使用されることができることが企図される。
【００１３】
図１および２に見られるように、本可撓性パウチ１０は概して数字の８の形状を有する。当該可撓性パウチは第一シート１２および第二シート１４から作成される。図１において、第一シート１２は第二シート１４の前にある。第一シート１２の形状は、下に詳細に説明されることができるように、その最上縁でを除いて第二シート１４に合う（ｍａｔｃｈ）。２個のシート１２および１４はそれらの周縁部の周囲を一緒にシールされて区画１６を形成する。区画１６は第一と第二のシート１２と１４の間で形成され、そして可撓性パウチ１０の内容物を保持することができる。例えば、飲料が区画１６内に置かれ得る。
【００１４】
継目１８が第一および第二シート１２および１４の側に沿って伸長する。本継目は形態が連続的であるように示される一方、それはシールされた区画１２が提供された限りは不連続であり得たことが真価を認められるべきである。本継目１８は２個のシート１２および１４を一緒に熱シールすること、熱溶着することもしくは超音波でシールすることにより形成され得る。さもなければ、接着剤、クリンプ加工（ｃｒｉｍｐｉｎｇ）もしくはいずれかの他の適する配置がこれらのシートを一緒に接着するために使用され得る。また、単一の押出されたチューブが２個のシートの代わりに使用され得る。あるいは、単一のシートがそれ自身の上に全面に折り畳まれ得、そしてその自由端を一緒に接着させてそれによりシールされた区画１２の一部分を規定し得る。適切なシールされた区画１２が提供されることが単に必要である。本区画１２は耐液性にシールされることができることが企図される。
【００１５】
第一シート１２の第一縁２０および第二シート１４の第一縁２２が図１に見られるようにパウチ１０の左側の側に提供される。継目１８はこれらの第一縁２０、２２に沿って伸長する。加えて、第一シート１２の第二縁２４および第二シート１４の第二縁２６は可撓性パウチ１０の右側の側に沿って提供される。第二シート１４の縁２２、２６は第一シート１２のそれぞれ第一縁２０、２４の背部にある。縁２０、２２および縁２４、２６は、パウチ１０の側に沿った第一および第二シート１２、１４の形状が同一であるように一致する。前に示されたように、第一縁２０、２２が一緒にシールされ、かつ、第二縁２４、２６が一緒にシールされる。
【００１６】
可撓性パウチ１０の上部に脆い要素もしくは膜２８が提供される。本要素もしくは膜２８は、第一シート１２の一部分が除去されているため図１で部分的に示される。図４を参照すれば、脆い要素もしくは膜２８がより良好に示される。本図４は図３の線ＩＶ−ＩＶに沿ってとられた第一と第二のシート１２、１４の間の側面図である。図４で見られ得るように、脆い要素もしくは膜２８は、パウチの端部に提供された可撓性の第一ガセットを包含する。パウチ１０がまっすぐに立っている場合はこの端部がパウチの上部になることができる。本ガセットは概してＶ字型を有する。２個の壁３０、３２が一体のガセットに提供される。これらの壁３０、３２は一点に集まって側断面図中でＶ字型を形成する。
【００１７】
とりわけ、脆い要素もしくは膜２８を形成する可撓性の第一ガセットが、折り目３４を形成するよう折り畳まれている単一のシートであることが企図される。本折り目３４は概して直線状であり、かつ、図３に示されるように、第一および第二シート１２、１４の最外縁３６、３８まで伸長する。第一ガセットが可撓性パウチ１０の上部でシート１２、１４と同一の長さおよび形状を有するため、この折り目の長さが達せられる。もちろん、いずれかの他の適する形状が当該ガセットについて有され得る。言い換えれば、当該脆い要素もしくは膜は、シートの最外縁３６、３８まで完全に伸長しない、もしくはこれらの縁を越えて伸長する可撓性ガセットから形成され得る。脆い要素もしくは膜２８の外側縁の輪郭がパウチ１０の最上部分の輪郭に合うことができることが企図される一方、脆い要素もしくは膜２８のための他の設計が可能である。また、折り目３４を形成するように折り畳まれる単一のガセットを使用する代わりに、２個の別個の膜が、それらの間の接合部に沿って折り目を形成するように相互と溶着もしくは別の方法で接着され得る。
【００１８】
２個の継目４０、４２がパウチ１０の上端部に提供される。脆い要素もしくは膜２８の壁３０は、継目４０で第二シート１４に熱シールされるかもしくは熱溶着される、または別の方法でシールされる。本脆い要素もしくは膜２８は、その壁３２で継目４２に沿って第一シート１２にもまた接着される。継目４０は継目４２より長いことが注目されるべきである。従って、脆い要素もしくは膜２８は折り目３４の周辺で完全に対称でない。さらに、後の、すなわち第二シート１４は第一シート１２よりわずかにより長い。図３に見られるように、本継目４０は、使用者がパウチを保持するために握り得る露出された領域を提供する。こうした配置は、下に記述されることができるように、広口のパウチ１０にストロー４４を挿入することを試みる場合に有用であり得る。もちろん、本発明は、それが使用者により保持される場所に関係なくはたらくことができる。言い換えれば、パウチ１０にストロー４４を挿入するために使用者が本継目４０をつかむことが必要でない。従って、第一シート１２および第二シート１４の長さが同一であることが可能である。こうした改変された配置においては継目４０および４２の最上縁が整列されるとみられる。こうした改変された配置もしくは図面で示される配置において、第二シート１４の第一と第二の縁２２、２６の間のパウチの上部が概して平坦であることが注目されるべきである。パウチ１０が充填されかつまっすぐに立っている場合に上部縁４６が水平であることができることが企図される。下に記述されることができるように、脆い要素もしくは膜２８のガセットはポケット５２を規定することができる。少なくともポケットが閉鎖される場合、第一シート１２の上部縁４８もまた平坦であることができ、かつ、パウチがまっすぐに立っている場合は概して水平であることができる。
【００１９】
脆い要素もしくは膜２８は、可撓性貼合せシートのような容易に破裂可能な素材から作成される。ストロー４４が脆い要素もしくは膜２８の壁３０、３２の間に形成された領域に挿入され得る。その後、折り目３４の小部分がストローにより刺し通されて区画１６への開口部５０を形成することができる。ストロー４４の直径は折り目３４の長さに比較して相対的に小さいことが注目されるべきである。言い換えれば、脆い要素もしくは膜２８の長さはストロー４４の直径のものよりかなり大きい。小開口部５０のみがパウチ１０に穿孔される。継目もしくは折り目３４全体が破裂されることができることは企図されない。言い換えれば、開口部５０はガセットの一部分の上に広がるが、しかし継目１８でパウチ１０の第一および第二の側と接触しない。しかしながら、折り目３４の長さ全体は、そのように所望の場合は破裂され得る。
【００２０】
パウチの上部の第一と第二のシート１２、１４の間の領域内に上で示されたポケット５２が形成される。本ポケット５２はストロー４４の挿入を容易に適応させ得る広口すなわち開口部を有する。第一および第二シート１２、１４の一部分は本ポケット５２を規定するように相互に向かってかつ相互から離れて可動性である。シート１２、１４の第一および第二縁４８、４６が脆い要素もしくは膜２８にシールされる。本脆い要素もしくは膜２８のガセットは、第一および第二シート１２、１４が相互から離れて動かされる場合に露出されることができる。シート１２、１４の側の継目１８およびガセット２８が破裂されることができることは企図されない。むしろ、シートおよびガセットはポケット５２を開けるために曲げられることができる。もちろん、パウチの上部の継目１８は、シート１２、１４が十分に遠く離れて引かれた場合に断裂され得た。脆い要素もしくは膜２８はパウチを完全に横切ってシート１２、１４の最外縁に伸長するため、ポケット５２の側のこうした開放はパウチのシールを有害に果たさないはずである。
【００２１】
言い変えれば、図３に見られるように、脆い要素もしくは膜２８の折り目３４は、膜の最外縁３６、３８の間に完全に伸長することができる。従って、ポケット５２の封鎖された側は、シート１２、１４の縁、および継目１８に沿って全て溶着もしくは別の方法でシールされている膜２８の縁により形成される。示されたように、継目４０、４２の側縁の間のこのシールは削除され得る。しかしながら、これらの側継目１８が、ポケット５２がはっきりと規定されるようにシート１２および１４の上部に伸長することが好ましい。
【００２２】
にもかかわらず、上に示されたように、シート１２、１４のいずれかおよび／もしくは双方が、ポケット５２を開けそしてストロー４４を挿入するために、それらの上部分で曲げられることができることが企図される。さらに、消費者が本ポケット５２をわざわざ開けることは必要でないことが注目されるべきである。むしろ、ストロー４４の挿入は、ポケットを開けるために、これらのシート１２、１４ならびに脆い要素もしくは膜２８の壁３０、３２をばらばらにわずかに締め付けるようはたらくことができる。従って、ポケット５２の非常にわずかな開放のみが実施され得る。他方、ポケット５２は、使用者がストロー４４の挿入の前もしくはその間にポケットをより完全に開けるために彼もしくは彼女の指を挿入し得るように十分大きい。
【００２３】
図４に見られるように、脆い要素もしくは膜２８の大部分は第一と第二のシート１２、１４の間に含有される。膜２８の後壁３０の小部分は第一シート１２の上部継目４２の上部の上に広がるとみられる。しかしながら、本壁３０の最上縁は第一シート１２の最上縁でもしくはその下に終端し得る。言い換えれば、壁３０、３２の最上縁が、壁１２、１４の最上縁に合うように継目４０、４２の最上縁に伸長することができることが今や企図される。しかしながら、膜２８の壁３０、３２のこれらの最上縁は、そのように所望の場合は壁１２、１４の最上縁から離れて終端され得る。
【００２４】
脆い要素もしくは膜２８が広げられる場合、それは第一および第二シートのものより短い長さを有することができる。例えば、後壁は１．１９インチの長さを有し得る一方、第二壁１４の全体の長さは６．５０インチであるとみられる。同様に、前壁３２の長さは０．７９インチであり得る一方、第一シート１２の長さは６．１インチであり得る。従って、脆い要素もしくは膜２８について１．９８インチの総長さが存在するとみられ、また、本総長さは第二および第一シート１４、１２のそれぞれ６．５０インチもしくは６．１インチの長さよりかなりより小さい。これらの特定の長さは単に一例として与えられるのみであり、また、本パウチがいずれかの適する大きさのものであり得ることが真価を認められるべきである。
【００２５】
前に示されたように、脆い要素もしくは膜２８がまとまった一体構造であることができることが企図される。ポケット５２が開けられる前、もしくは、本ポケット５２がストローを適合させるようにわずかにのみ開けられる場合さえ、シート１２、１４の上部縁４６、４８は、折り畳まれた脆い要素もしくは膜２８により形成される折り目３４に概して平行であることができる。
【００２６】
図３に見られるように、継目１８の最内縁５４、５６はポケット５２の側で終端する。言い換えれば、第一シート１２、第二シート１４および脆い要素もしくは膜２８の縁は、ポケットの側５２が閉鎖されるように全てシールされる。前に示されたように、これらの側が通常はパウチ１０の使用の間に破裂されることができることは企図されない。にもかかわらず、広口領域が、ストロー４４の容易な挿入のためポケット５２により形成される。パウチ１０の上側の縁５４、５６の間の距離は例えば１．８８インチであり得る。従って比較的広い領域が提供される。これはストローの容易な挿入を可能にする。折り目３４がこれらの縁５４、５６の間のその長さに沿ったいずれかの場所で刺し通されることができることが企図される。折り目３４全体が破裂されるとみられることは企図されないが、とは言えこれはそのように所望の場合は可能である。
【００２７】
脆い要素もしくは膜２８の傾斜壁３０、３２は、図４から真価を認められ得るように、ストロー４４の端部５８にカムを取り付ける（ｃａｍ）もしくはこれを折り目３４に向かって導くようにはたらくことができる。脆い要素もしくは膜２８を形成するガセットの相対された壁３０、３２はストローのガイドとしてはたらく。図１に見られるように、ストロー４４の端部５８は先細にされる。本先細は折り目３４の穿孔でもまた補助し得る。しかしながら、ストロー４４の上端部に類似の平坦端部が端部５８で使用され得る。さらに、概してまっすぐなストロー４４が示される一方、可撓性ストローもしくはいずれかの他の既知のストローが本発明のパウチ１０で利用され得ることが企図される。
【００２８】
本発明を使用する場合には、ストロー４４は区画１６の外側から挿入されることができる。本ストロー４４は、そのように所望の場合はパウチ１０の外側にどうにかして接着もしくは別の方法で取付けられ得る。こうした接着は、ストローが、脆い要素もしくは膜２８を刺し通すために、パウチ１０から除去され得そしてポケット５２に挿入され得るように容易に破裂可能であるべきである。ストローが折り目３４の一部分を刺し通すことができることが論考された一方、脆い要素もしくは膜２８のいずれかの適する部分が穴をあけられ得る。例えば、折り目が例えば側２０、２２から側２４、２６までＶ字型で下向きに傾斜するとみられるように脆い要素もしくは膜２８を形成することが可能であるとみられる。その場合は、この配置は、ストローを２個の継目１８に関してポケット５２の中央部分に導くとみられる。付加的には、脆い要素もしくは膜２８は、この膜のいかなる領域もストロー４４により刺し通されるとみられるように折り目３４なしで形成され得る。例えば、平坦な膜が第一と第二のシート１２、１４の間を広がり得る。この膜のいずれかの適する部分が刺し通され得る。
【００２９】
しかしながら、比較的大型のポケット５２の提供により、ストローはパウチ１０に容易に挿入される。使用者が本発明のパウチ１０の前および後を刺し通すことができることはありそうでない。むしろ、脆い要素もしくは膜２８単独が、適するシールが本破裂領域を除きパウチ１０について維持されることができるように破裂されることができることがありそうである。本破裂すなわち開口部５０が、パウチの内容物が引き出されることを可能にすることができる。言い換えれば、飲料がストロー４４を通してパウチから飲まれ得る。この制限された開口部の配置はパウチ１０からの製品のこぼれを最小限にするかもしくは排除することができる。ポケット５２は溜めとしてはたらくことができ、これは開口部５０からパウチから放出されるいかなる液体も含有することができる。
【００３０】
図１に示されるように、第二ガセット６０がパウチ１０の底部に提供される。本第二ガセット６０もまた可撓性要素もしくは膜であり、かつ、シート１２、１４と同一の素材から作成され得る。継目６２は第二ガセット６０を第一および第二シート１２、１４に結合することができる。第一シート１２、第二シート１４、脆い要素もしくは膜２８の第一ガセット、および第二ガセット６０が区画１６を規定することができる。パウチ１０が充填される場合には、第二ガセット６０の大部分が概して平坦であることができることが企図される。折り畳まれた充填されない状態では、当該ガセットは概して平坦な底部部分６４を有することができる。図３は第二ガセット６０のための折り線６８およびその結合６４の関係を示す。パウチが充填される場合、第二ガセット６０は平坦な底部部分６４を有するように広がることができる。ヒートシンク６６が第二ガセット６０に提供される。本シンク６６はパウチ１０を二次成形する場合にシールダイスから切断されるもしくは削除される領域にすぎない。ヒートシンク６６のいずれかの適する数もしくは形状が使用され得るか、もしくはそれらは全く削除されてよい。
【００３１】
図４に見られるように、飲料のような内容物は区画１６内の液面７０まで充填され得る。パウチ１０が圧縮される場合に液体の液面７０が折り目３４より上に上昇することができる。あるいは、この内容物の液面７０は、パウチ１０が最初に充填される場合に常に折り目３４より上であり得る。どちらにしても、区画１６内の空間７２、７４の提供により、内容物の液面７０はそのように所望の場合は開口部５０より上であり得る。
【００３２】
この可撓性パウチを別にして、可撓性パウチから内容物を分配する方法が本発明により開示される。本方法において、可撓性パウチ１０内に区画１６を提供する段階が提供される。本区画は当初シールされる。付加的に、２個のシート１２、１４および脆い要素もしくは膜２８のガセットが提供される。２個のシート１２、１４およびガセット２８が区画１６の一部分を形成することができる。２個のシート１２、１４はシールされた縁１８を有することができ、また、脆い要素もしくは膜２８のガセットは区画１６の第一端部にあることができる。当該方法は、付加的に、ガセット２８を露出させるために、第一シート１２の一部分を区画１６の第一端部に隣接する第二シート１４の一部分から分離する段階を包含する。当該区画は、分離段階の間、シールされた状態に維持される。脆い要素もしくは膜２８のガセットがその後ストロー４４により刺し通される。前に示されたように、ストロー４４を挿入する本段階は、実際には、第一および第二シート１２、１４の部分の分離を引き起こし得る。その後、区画１６内の内容物がガセット中の開口部５０を通って取り出される。
【００３３】
ストロー４４を使用する代わりに、例えばピン、漏斗もしくはくぎのような適する道具が、脆い要素もしくは膜２８を刺し通すのに使用され得る。この道具はその後除去されるとみられ、そして、パウチ１０の内容物が開口部を通って注がれ得る。しかしながら、パウチ１０が通常飲料容器として使用されることができ、そして従ってストロー４４が通常内容物を放出させるのに使用されることができることが企図される。
【００３４】
開口部５０が形成される場合、これが区画１６への唯一の開口部であることができることが企図される。もちろん、複数の開口部が脆い要素に提供され得る。
【００３５】
本パウチ１０を用いれば、区画１６からの飲料もしくは他の内容物が容易に分配され得る。当該容器を開けることは非常に容易であり、そして、製品のこぼれは最小限にされるかもしくは排除される。ストローを挿入することを試みる場合の前および後壁双方の穿孔のようなパウチ１０に対する偶然の損傷が回避される。当該可撓性パウチは容易に製造され得、また、製品を保持するための確実な配置を提供する。
【００３６】
本発明はかように記述されたが、それが多くの方法で変動されてよいことが明らかであることができる。こうした変動は本発明の技術思想および範囲からの離脱とみなされるべきでなく、また、当業者に明らかであるとみられるような全ての改変が以下の請求の範囲の範囲内に包含されることが意図される。
【００３７】
本発明の好ましい態様を整理して記載すれば、下記のとおりである。
【００３８】
１．第一縁および第二縁を有する第一シート；
第一縁および第二縁を有する第二シート（第一および第二シートの第一縁が一緒にシールされ、かつ、第一および第二シートの第二縁が一緒にシールされ）；
そのシールされた第一と第二の縁の間で第一および第二シートにより部分的に形成されている区画；ならびに、  第一と第二のシートの縁の間を広がる脆い要素（当該脆い要素は区画の一部分、および、脆い要素中で容易に形成可能である区画への開口部を規定する）、を含んで成る可撓性パウチ。
【００３９】
２．脆い要素が第一と第二のシートの間に提供される可撓性ガセットであり、また、第一シートの第一および第二縁がそれぞれ第一および第二縁と一致する、上記１に記載の可撓性パウチ。
【００４０】
３．ガセットが、第一と第二のシートの間でその中に折り目を有するべき場合に折り畳まれる、上記２に記載の可撓性パウチであって、当該区画への開口部が折り目中で形成可能である可撓性パウチ。
【００４１】
４．ガセットが１回のみ折り畳まれかつパウチの一端部で提供される、上記３に記載の可撓性パウチであって、パウチの当該端部が第二シートの第一と第二の縁の間で平坦である可撓性パウチ。
【００４２】
５．ガセットが容易に破裂可能である素材から作成され、また、ガセットの大部分が第一と第二のシートの間に含有される、上記３に記載の可撓性パウチ。
【００４３】
６．第一および第二シートの一部分がポケットを形成するように相互に向かってかつ相互から離れて可動性である、上記５に記載の可撓性パウチであって、ガセットは第一および第二シートが相互から離れて動かされる場合に露出され、第一および第二シートの第一および第二縁がガセットにシールされ、ガセットがポケットと区画との間にある可撓性パウチ。
【００４４】
７．上記５に記載の可撓性パウチであって、  第一シートの第一縁が第二シートの第一縁より短く、第一シートの第一縁が第一シートの長さ全体に沿って第二シートの第一縁にシールされ；
第一シートの第二縁が第二シートの第二縁より短く、第一シートの第二縁が第一シートの長さ全体に沿って第二シートの第二縁にシールされ；そして  ガセットが第一および第二シート双方より短い可撓性パウチ。
【００４５】
８．ガセットが第一ガセットであり、かつ、可撓性パウチが第二ガセットをさらに含んで成る、上記７に記載の可撓性パウチであって、第二ガセットは第一ガセットからの区画の相対端部にあり、そして、第二ガセットが第一および第二シートにシールされ、区画が、第一シート、第二シート、第一ガセットおよび第二ガセットにより完全に形成される可撓性パウチ。
【００４６】
９．上記２に記載の可撓性パウチであって、  第一シートの第一縁が第二シートの第一縁より短く、第一シートの第一縁が第一シートの長さ全体に沿って第二シートの第一縁にシールされ；
第一シートの第二縁が第二シートの第二縁より短く、第一シートの第二縁が第一シートの長さ全体に沿って第二シートの第二縁にシールされ；そして  ガセットが第一および第二シート双方より短く、第一および第二シートの第一および第二縁がガセットにシールされる可撓性パウチ。
【００４７】
１０．第一および第二シートの第一および第二縁がパウチの側を形成し、かつ、パウチの側が曲線状でありそれにより数字の８の形状に似る、上記１に記載の可撓性パウチ。
【００４８】
１１．ある直径を有する飲用ストロー；および  可撓性パウチ、を含んで成る、可撓性飲料パウチおよび飲用ストローの組み合わせであって、当該可撓性パウチが、  第一縁および第二縁を有する第一シート；
第二シートが第一シートに据え付けられる場合に第一シートのそれぞれ第一および第二縁と一致する第一縁および第二縁を有する第二シート（第一および第二シートの第一縁が一緒にシールされ、かつ、第一および第二シートの第二縁が一緒にシールされ）；
そのシールされた第一と第二の縁の間で第一と第二のシートの間に形成されている区画；ならびに、  第一と第二のシートの縁の間に提供される脆い要素（当該脆い要素は、区画の一部分、および、ストローにより脆い要素中に容易に形成可能である区画への開口部を形成し、第一と第二のシートの端部の間の方向の脆い要素の長さはストローの直径よりかなり大きい）、を包含する組み合わせ。
【００４９】
１２．上記１１に記載の可撓性パウチおよび飲用ストローの組み合わせであって、脆い要素は第一と第二のシートの間に提供されるガセットであり、当該ガセットは折り目を形成するよう折り畳まれ、区画への開口部が折り目の部分に形成可能であり、ガセットは容易に破裂可能である素材から作成され、また、ガセットの大部分が第一と第二のシートの間に含有される組み合わせ。
【００５０】
１３．第一および第二シートの一部分がポケットを形成するように相互に向かってかつ相互から離れて可動性である、上記１２に記載の可撓性パウチおよび飲用ストローの組み合わせであって、ガセットが第一および第二シートが相互から離れて動かされる場合に露出され、第一および第二シートの第一および第二縁がガセットにシールされ、そしてポケットが第一および第二シートの第一と第二の縁の間に広がる組み合わせ。
【００５１】
１４．上記１３に記載の可撓性パウチおよび飲用ストローの組み合わせであって、  第一シートの第一縁が第二シートの第一縁より短く、第一シートの第一縁が第一シートの長さ全体に沿って第二シートの第一縁にシールされ；
第一シートの第二縁が第二シートの第二縁より短く、第一シートの第二縁が第一シートの長さ全体に沿って第二シートの第二縁にシールされ；そして  ガセットが第一および第二シート双方より短い組み合わせ。
【００５２】
１５．可撓性パウチからの内容物の分配方法であって、当該方法が、  可撓性パウチ内に一区画を提供すること（当該区画は当初シールされ）；
少なくとも当該区画の一部分を形成するための２個のシートおよび１個のガセットを提供すること（当該２個のシートは区画の第一側および第二側に沿ったシールされた縁を有し、また、当該ガセットは区画の第一端部にあり）；
第一シートの一部分を区画の第一端部に隣接する第二シートの一部分から分離してそれによりガセットを露出させること；
第一および第二シートを分離する段階の間に区画をシールされた状態に維持すること；
分離および維持の段階の後でガセットを刺し通してそれによりガセット中に開口部を形成すること；そして、  内容物をガセット中の開口部を通して当該区画から取り出すこと、の段階を含んで成る方法。
【００５３】
１６．上記１５に記載の方法であって、ガセット中の開口部が区画への唯一の開口部であり、また、当該開口部が区画の第一および第二の側の間のガセット部分の上をしかしこれと接触せずに広がり、また、当該方法が第一と第二のシートの間にポケットを提供する段階をさらに含んで成り、当該ポケットは区画からのガセットの相対する側にあり、また、当該ポケットがガセットにより形成される方法。
【００５４】
１７．ストローの一端部をポケットを通して動かす段階をさらに含んで成る、上記１６に記載の方法であって、この動かす段階が第二シートから第一シートを分離する段階をもたらし、また、刺し通す段階がストローの当該端部を使用してガセットに穴をあけてその中に開口部を形成することを包含する方法。
【００５５】
１８．膜およびシールされた区画を含んで成る可撓性パウチであって、当該区画は少なくとも部分的に膜により形成され、当該膜は２個の壁を有し、膜の２個の壁はそれらの間で折り目で合い、膜の２個の壁はＶ字型を形成し、また、膜の壁は膜内で凹ませられたポケットを規定するように相互に向かってかつ相互から離れて可動性であり、折り目の各側の膜の壁の縁はシールされた嵌合にあってそれによりポケットの側を形成し、膜は区画への開口部を提供するように少なくとも折り目で容易に砕けやすく、折り目は膜の最外縁に伸長する可撓性パウチ。
【００５６】
１９．第一シートおよび第二シートをさらに含んで成る、上記１８に記載の可撓性パウチであって、双方のシートは膜に取付けられ、かつ、双方のシートは区画の一部分を形成し、第一シートは第一縁および第二縁を有し、第二シートは第一縁および第二縁を有し、第一および第二シートの第一縁はシール嵌合にあり、かつ、第一および第二シートの第二縁はシール嵌合にあり、膜は第一および第二シートの第一と第二の縁の一部分の間を広がる可撓性パウチ。
【００５７】
２０．膜がパウチの一端部にあり、かつ、膜が区画中に広がり、区画の部分が、区画内の内容物の液面が折り目の上にあり得るように折り目の上にある、上記１８に記載の可撓性パウチであって、区画の大部分は折り目の下にあり、かつ、ポケットが区画からの膜の中心をはずれた（ｏｕｔｂｏａｒｄ）側にある可撓性パウチ。
【００５８】
２１．膜がまとまった一体のシートであり、かつ、パウチが湾曲した側を有してそれにより数字の８の形状に似る、上記１８に記載の可撓性パウチ。
【００５９】
２２．折り目が概して直線状であり、また、パウチが区画の一部分を形成する第一シートおよび第二シートをさらに含んで成る、上記１８に記載の可撓性パウチであって、シートの双方が、膜、および、折り目に概して平行であるシートの一の上部縁に取付けられる可撓性パウチ。
【００６０】
２３．膜、シールされた区画および接近ポケットを容易に同定する手段を含んで成る可撓性パウチであって、当該区画は少なくとも部分的に膜により形成され、膜は区画への開口部を提供するように容易に砕けやすく、膜は最低４個の縁を有し、膜の第一および第二縁は相互と相対し、また、膜の第三および第四縁は相互と相対し、膜の第一および第二縁はそれぞれシールされた嵌合にありかつポケットの相対された側にあり、膜の第三および第四縁は相互から軸をはずされ、容易に同定する手段は軸をはずされた膜の第三および第四縁を包含してそれにより消費者が開けるべきパウチの領域を容易に同定し得る可撓性パウチ。
【００６１】
２４．膜にシールされる最低１個のシートをさらに含んで成る、上記２３に記載の可撓性パウチであって、区画が最低１個のシートおよび膜により形成され、区画が、区画への開口部が形成される場合に膜が破裂されるまでシールされる可撓性パウチ。
【００６２】
２５．膜の露出された部分が最低１個のシートの露出された領域と異なる色もしくは素材であってそれにより容易に同定する手段による接近ポケットの同定を高める、上記２４に記載の可撓性パウチ。
【００６３】
２６．膜がその中に折り目を有し、折り目が膜の最外縁に伸長する、上記２３に記載の可撓性パウチ。
【００６４】
２７．膜、シールされた区画およびパウチを開ける間のパウチの加圧を回避する手段を含んで成る可撓性パウチであって、区画は少なくとも部分的に膜により形成され、膜は２個の壁を有し、膜の２個の壁はその間で折り目で合いかつ各壁は上部縁を有し、膜の２個の壁はＶ字型を形成し、また、膜の壁は膜内に凹ませられたポケットを規定するように相互に向かってかつ相互から離れて可動性であり、膜は区画への開口部を提供するように少なくとも折り目で容易に砕けやすく、そして膜の壁の上部縁は相互から軸をはずされ、加圧を回避する手段は、シールされた区画の圧の増大が回避され得るように消費者により握り可能（ｇｒｉｐｐａｂｌｅ）である領域を壁の上部縁のーに包含する可撓性パウチ。
【００６５】
２８．折り目の各端部の膜の壁の側縁がシールされた嵌合にあってそれによりポケットの側を形成し、消費者により握り可能である壁の１個の上部縁の領域が壁の側縁の間を広がりかつこれとの嵌合にある、上記２７に記載の可撓性パウチ。
【００６６】
２９．膜にシールされる最低１個のシートをさらに含んで成る、上記２７に記載の可撓性パウチであって、区画が最低１個のシートおよび膜により形成され、区画は、区画への開口部が形成される場合に膜が破裂されるまでシールされ、また、壁の１個の上部縁の領域は膜と最低１個のシートとの間の平坦な継目であり、当該平坦な継目は消費者により容易に握り可能であるように寸法を定められ、また、区画の内部は平坦な継目から間隔を空けられてそれにより消費者による平坦な継目の握りに際して区画内の圧が増大することに失敗する可撓性パウチ。
【図面の簡単な説明】
【００６７】
【図１】ある部分が切り離された本発明の可撓性パウチの前面の姿図（ｆｒｏｎｔ  ｅｌｅｖａｔｉｏｎａｌ  ｖｉｅｗ）。
【図２】切り離された部分を伴わない図１に類似の図。
【図３】本発明の充填されないパウチの前面図。
【図４】図３の線ＩＶ−ＩＶに沿ってとられた断面図。
【符号の説明】
【００６８】
１０  パウチ
１２  第一シート
１４  第二シート
１６  区画
１８  継目
２０  第一縁
２２  第一縁
【図１】
2005047624.tif 000003
【図２】
2005047624.tif 000004
【図３】
2005047624.tif 000005
【図４】
2005047624.tif 000006
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
第一縁及び第二縁を有する第一シートと、
第一縁及び第二縁を有する第二シートであって、第一及び第二シートの第一縁が、第一側部継目によって、一緒にシールされており、第一及び第二シートの第二縁が、第二側部継目によって、一緒にシールされており、該第一及び第二側部継目が、最内縁を有し、該第一及び第二シートの該第一縁及び第二縁から該最内縁に横切って連続的に延びている第二シートと、
該第一及び第二側部継目によってシールされた該第一及び第二縁の間で該第一及び第二シートによって部分的に形成されている液密にシールされた区画と、
該第一及び第二側部継目の第一及び第二の最内縁からそれらの間を延びているアクセス領域及び口開口を有するポケットを規定する脆い区画とを具備し、
該脆い区画が、該ポケットの該アクセス領域内に開口装置を収容するように形成された区画の壁部分を規定しており、区画の飲用開口部を破裂的に形成し、
該第一及び第二のシートの該第一及び第二縁において該第一及び第二側部継目の各々が、該シートの該第一及び第二縁から区画の方向に測定して、種々の厚さを有し、これが、該ポケットの該口開口及び該アクセス領域が、該第一及び第二側部継目が共に移動するとき、該第一及び第二側部継目の回りにおいて曲がって開口するように、該ポケットに隣接する領域において第一の厚さから第二の厚さに増大することを特徴とする可撓性パウチ。